(57)【特許請求の範囲】
【請求項１】
階段踏板の段鼻部の下面と蹴込み板とに装着される階段の段鼻調整部材であって、垂直部と該垂直部の下端に連成される可撓性材料からなる傾斜部を備え、該垂直部の上端と下端に水平部を有し、前記垂直部及び水平部がやや固めの可撓性を有する合成樹脂又はゴムからなり、前記傾斜部がそれよりもやや柔らかめの可撓性を有する合成樹脂又はゴムからなることを特徴とする階段の段鼻調整部材。
【請求項２】
階段の段鼻調整部材の前記上端水平部の先端に略垂直方向に突出する突条と前記下端水平部先端に略水平方向に突出する突条とを形成し、前記傾斜部下端縁に取付部を設けたことを特徴とする請求項１に記載の階段の段鼻調整部材。
【発明の詳細な説明】
【０００１】
【発明の属する技術分野】
本発明は、安全に昇降できるよう住宅の階段用踏板に装着される階段の段鼻部調整部材に関する。
【０００２】
【従来の技術】
住宅の階段において、踏板先端の段鼻部は通常蹴込み板よりも多少とも出っ張っており、階段を昇降する際、階段の段鼻角部の前記出っ張り部につま先が引っかかって躓いて怪我をするなど、従来から階段事故は大きな問題となっていた。そこで、階段昇降時の躓き防止のため、踏板の段鼻下面に部材を取り付けることは従来から知られていた。図４において、引用符号２１は従来の階段用踏板に取り付けられた段鼻部材の一例を示している。
【０００３】
また、階段昇降時の躓き防止のため、例えば、特開平１１−６２１５２号公報では、滑り止めを兼ねた階段の踏板用保護部材が開示されており、また、特開平１１−１７２８７５号公報では、踏板の段鼻部下面に軟質の補助部材を取り付けた階段が開示されている。さらに、特開平１０−２１９９５２号公報には階段の踏板下面に設けられた躓き防止機能を有する階段の滑り止め及び打撲緩衝材が開示されている。
【０００４】
【発明が解決しようとする課題】
しかしながら、住宅における階段の寸法は千差万別であって、踏板の段鼻部先端と蹴込み板との間の水平距離、踏板の厚み等現場の階段のさまざまな寸法に対応した階段が施工されているのが実状で、これらにぴったり合った階段用保護部材、補助部材を取り付け施工することは極めて難しい。
【０００５】
前記、特開平１１−６２１５２号公報では、踏板の厚みの違いに対して、ゆったり目に作られた保護部材と踏板の段鼻部下面にスペ−サ−を挿入することによって踏板の厚み違いに対応している。しかし、この方法では、踏板厚さのさまざまな寸法違いのすべてに対応するには、寸法差に応じたスペ−サ−を用意しなければならず、施工するのに手間がかかり実用的ではない。さらに、踏板下面と蹴込み板で作られる空間部を覆う下片部が、内部が密実の合成樹脂成形体であるため階段昇降時につま先が当たった時、その衝撃を適度に緩和するクッション作用が十分でなく、そのために下片部でかえって躓いてしまう恐れがある。
【０００６】
また、前記、特開平１１−１７２８７５号公報では、階段のさまざまな寸法に対応して、階段の段鼻部と蹴込み板との間の距離が違った場合の対応が極めて難しい。補助部材を階段のさまざまな寸法に合わせて切断しなくてはならず、現場での作業性に劣るものであった。
【０００７】
また、特開平１０−２１９９５２号公報の階段部材においては、踏板下面と蹴込み板との作る空間部を覆う躓き防止部が可撓性を有する材料から作られており、その内部は本願と同様に密実ではなく、空間部を有するものであり、つま先がぶつかった時過度に撓まないように補強部材が設けられている。この補強部材は躓き防止部の下端縁に設けられており、つま先が通常の衝撃力をもってぶつかった程度では、つま先を適度に跳ね返し、躓き防止部が過度に撓むのを防止し躓きをほど良く防いでくれるが、衝撃力が過大であった場合には、下端縁の補強部材のみでは抗しきれず、過度に撓んで躓いてしまうことがあった。
【０００８】
本発明は、階段踏板の段鼻部下面と蹴込み板とで形成される角部に取り付ける階段の躓き防止用の調整部材であって、階段のさまざまな寸法違いにうまく対応でき、階段昇降時につま先の過度の衝撃力にも十分対応でき、しかも取り付け施工の容易な躓き防止用調整部材を提供することを課題とする。
【０００９】
【課題を解決するための手段】
上記課題を解決するためなされた請求項１記載の本発明の階段の段鼻調整部材は、階段踏板の段鼻部の下面と蹴込み板とに装着される階段の段鼻調整部材であって、垂直部と該垂直部の下端に連成される可撓性材料からなる傾斜部を備え、該垂直部の上端と下端に水平部を有し、前記垂直部及び水平部がやや固めの可撓性を有する合成樹脂又はゴムからなり、前記傾斜部がそれよりもやや柔らかめの可撓性を有する合成樹脂又はゴムからなることを特徴とする。
【００１０】
請求項２記載の本発明の階段の段鼻調整部材は、請求項１に記載の階段の段鼻調整部材において、階段の段鼻調整部材の前記上端水平部の先端に略垂直方向に突出する突条と前記下端水平部先端に略水平方向に突出する突条とを形成し、前記傾斜部下端縁に取付部を設けたことを特徴とする。
【００１２】
請求項１に記載された本発明によれば、踏板段鼻部下面と蹴込み板によって形成された角部を前記垂直部と傾斜部で塞ぐことによって階段昇降時につま先が前記段鼻下面に引っかかって躓くのを有効に防止することができる。また、万が一、つま先が傾斜部にぶつかる時の衝撃力が過度であっても、前記水平部が有効に働いて傾斜部の過度の撓みによる躓きを有効に防止してくれる。
【００１３】
また、前記、傾斜部が可撓性で、しなやかに屈曲自在であるので、階段の寸法が現場毎にさまざまで、階段踏板正面から蹴込み板までの寸法が異なっても前記傾斜部を変形して、蹴込み板に当接させることができ、取り付け施工に支障がない。
【００１４】
また、踏板の厚みに関係なく取り付け可能であり、垂直部と段鼻正面を略面一になるように取り付けると階段を正面から見て踏板の厚みが実際より厚く豪華に見え、意匠上のアクセントとしての効果も期待できる。また、階段の段鼻調整部材の前記垂直部及び水平部がやや固めの可撓性を有する合成樹脂又はゴムからなり、前記傾斜部がそれよりもやや柔らかめの可撓性を有する合成樹脂又はゴムからなるので、つま先が傾斜部にぶつかる衝撃力が過大であっても、傾斜部が適度に撓んで、しかも垂直部、水平部がそれよりもやや固めであるので、つま先の衝撃力が十分に受け止められ、段鼻調整部材が過度に撓んだり変形することによる躓きがよりいっそう有効に防止できる。
【００１５】
また、請求項２の発明によれば、階段の段鼻調整部材の前記上端水平部先端に略垂直方向に突出する突条と前記下端水平部先端に略水平方向に突出する突条とを形成したので、階段に取り付け施工する際、段鼻部下面と蹴込み板に凹条を設け、前記凹条に突条を嵌合させることによって、極めて簡単に取り付け施工できる。また、傾斜部下端縁に取付部を設けたので、蹴込み板との接点において、この取付部を利用して木ねじ等を用いて、簡単に蹴込み板への取り付け施工が可能となる。
【００１７】
【発明の実施の形態】
以下、図面を参考にして本発明の実施の形態の一例を説明する。図１は本発明の階段の段鼻調整部材を段鼻下面に取り付けた実施の形態の一例を示す断面図である。また、図２は本発明の階段の段鼻調整部材の一実施形態を示す断面図である。図３は本発明の他の例となる階段の段鼻調整部材の断面図である。
【００１８】
図１において、引用符号１は住宅の階段の踏板の段鼻部下面と蹴込み板によって形成された角部に取り付けられた本発明の階段の段鼻調整部材の一例を示している。該段鼻調整部材１は、図２に示す如く、垂直部５と該垂直部５の下端に連成され、段鼻部下面１２に設けられた蹴込み板３に取り付けられる可撓性材料からなる傾斜部７を備え、該傾斜部７の下端縁にその先端を蹴込み板３に取り付けるための取付部１０を備えており、前記垂直部５の上端に略直角に上端水平部８が設けられ、下端もしくは下端縁近傍に略直角に下端水平部６が設けられている。また、前記上端水平部８の先端に、略垂直方向に突出する鋸歯状の突条９ａと、前記下端水平部６の先端に、略水平方向に突出して延設する鋸歯状の突条９ｂが設けられている。前記垂直部５とその上端に設けられた上端水平部８の作る角度は直角であっても良いし、また略直角であっても良い。
【００１９】
図１に示すように、前記垂直部５は段鼻下面１２にあって段鼻正面１１とおよそ面一になるように施工される。前記垂直部５と段鼻正面１１とが、およそ面一になるように取り付けすると、踏板２の見かけ上の厚みが増して階段そのものを大変豪華に仕上げることが可能になる。また、前記垂直部５に階段踏板２と異なった意匠、色調を施すことによって、段鼻部分にアクセントがついた階段が可能となる。
【００２０】
また、前記下端水平部６は蹴込み板３に当接するように取り付け施工される。前記下端水平部６は通常考えられる踏板２の段鼻正面１１と蹴込み板３との水平距離ａより長く作成し、施工に際して、その先端を切除して所定の長さとする。また、下端水平部６は前記垂直部５の下端縁に設けても良いし、もしくは下端縁の近傍に設けても良い。また、前記垂直部５と下端水平部６の作る角度は直角であっても良いし、略直角であっても良い。
【００２１】
本発明の段鼻調整部材１を取り付け施工するに際して、図１に示すように、段鼻下面１２及び蹴込み板３の所定の箇所に前記突条９ａ、９ｂが嵌合係止するための凹条溝１３ａ、１３ｂをあらかじめ設けておくとよい。蹴込み板３の厚みが薄くて不足する場合は、その箇所に取り付け用桟木ｋを設け、その桟木ｋに前記凹条溝１３ｂを加工するとよい。このようにして、前記鋸歯状の突条９ａ、９ｂを凹条溝１３ａ、１３ｂに嵌合させることによってよりいっそう強固に段鼻調整部材１を踏板２の段鼻下面１２と蹴込み板３によって形成された角部４に取り付け施工することができる。
【００２２】
このようにして、前記突条９ａ、９ｂを凹条溝１３ａ、１３ｂに嵌合させることによって極めて簡単に取り付け施工が可能となるが、この時、下端水平部６の先端に設けられた突条９ｂの長さ寸法は、切断しても差し支えないように十分長めに設定しておくとよい。
【００２３】
前記突条９ａ、９ｂの鋸歯状の形状は一例を図２に示したが、この形状に限定されるものではない。鋸歯の角度、大きさ等適宜最適値を選定すればよい。また、鋸歯状以外の粗い点状の凹凸又はその他であってもよい。
【００２４】
また、段鼻調整部材１の傾斜部７の下端縁にその先端を蹴込み板３に取り付けるための取付部１０が設けられている。該取付部１０の形状は、図２に示すような折曲形状でもよいし、又その他の形状でもよい。
【００２５】
このようにして、傾斜部７の下端縁に、蹴込み板３に当接する取付部１０を設けておくことがより好ましい。該取付部１０は可撓性を有する合成樹脂製又はゴム製であると、蹴込み板３との当接部で馴染み易く、階段の現場施工寸法が千差万別で、傾斜部７の取り付け角度が、種々に変わっても蹴込み板３との当接部分に隙間等が生じないので大変美しく確実にしかも簡便に施工できる。
【００２６】
また、本発明の階段の段鼻調整部材１の材質は垂直部５、上端水平部８及び下端水平部６としては、塩化ビニ−ル樹脂、ＡＢＳ、ポリエチレン、ポリエステル、ナイロン樹脂等の合成樹脂やブチルゴム、ウレタンゴム等の合成ゴムが適する。また、前記傾斜部７の可撓性のある材料としては、塩化ビニ−ル樹脂、ブチルゴム、ウレタンゴム等の合成ゴムが適する。
【００２７】
段鼻調整部材１の各部を可撓性の有る材料で構成した場合、垂直部５、上端水平部８、下端水平部６がやや固めであって、それに比較して傾斜部７がやや柔らかめであると、つま先が傾斜部７にぶつかる衝撃力が過大であっても、傾斜部７が適度に撓むとともに、やや固めの上端水平部８及び下端水平部６により、つま先の衝撃力を十分に受け止めることが可能で、段鼻調整部材が過度に撓んだり変形することによる躓きがよりいっそう有効に防止できるのである。
【００２８】
従って、前記垂直部５、上端水平部８及び下端水平部６の材質をやや固めの可撓性を有する塩化ビニ−ル樹脂、ＡＢＳ、ポリエチレン、ポリエステル、ナイロン樹脂等の合成樹脂やブチルゴム、ウレタンゴム等の合成ゴムとし、前記傾斜部７の材質をそれよりもやや柔らかめの可撓性を有する塩化ビニ−ル樹脂やブチルゴム、ウレタンゴム等の合成ゴムとすることがよりいっそう望ましい。
【００２９】
また、本発明の階段の段鼻調整部材１の作製方法としては、従来から行われている金型を用いた押し出し成型が最も適する。また、垂直部５、上端水平部８及び下端水平部６がやや固めの可撓性材料からなり、傾斜部７がそれよりもやや柔らかめの可撓性材料からなる段鼻調整部材１は、柔らかさが異なる２種類の押し出し成型材をあらかじめ作製しておいて、第２工程でそれらを所定の位置で接着剤等によって接合することで得られる。
【００３０】
また、本発明の実施の形態の他の例として図３のものがある。図３は図２の鋸歯状突条９ａ、９ｂ及び取付部１０を有しないものである。この場合の踏板２への取り付けは、以下のように行う。
【００３１】
踏板２の段鼻下面１２への取り付け施工は、垂直部５の上端に設けた上端水平部８により、木ネジ、釘、ステ−プルあるいは接着剤又はそれらの併用で簡単にできる。下端水平部６と蹴込み板３との取り付けは、先ず段鼻正面１１と蹴込み板３の間の水平距離ａに見合った寸法に下端水平部６の長さを切除する。次に、蹴込み板３に溝深さが蹴込み板３の厚みの半分程度で、溝長さが下端水平部６の横幅寸法に見合う長さの溝を加工し、その溝に下端水平部６の先端を差込み、木ネジ、釘、ステ−プルあるいは接着剤又はそれらの併用で固着する。
【００３２】
傾斜部７の蹴込み板３への取り付けは、傾斜部７は可撓性があるので、踏板２の段鼻正面１１と蹴込み板３までの水平距離ａが階段によってさまざま異なっても、傾斜部７を変形させて蹴込み板３に当接させることができる。このようにして、前記傾斜部７の先端は木ネジ、釘、ステ−プルあるいは接着剤又はそれらの併用で蹴込み板３に固定する。
【００３３】
【発明の効果】
以上、説明したように、本発明の階段の段鼻調整部材によれば、踏板の段鼻下面と蹴込み板によって形成された角部を前記垂直部と傾斜部で塞ぐことによって階段昇降時につま先が前記段鼻下面に引っかかって躓くのを有効に防止することができる。また、万が一、つま先が傾斜部にぶつかる時の衝撃力が過度であっても、前記上端水平部及び下端水平部が有効に働いて傾斜部の過度の撓みによる躓きを有効に防止してくれる。
【００３４】
また、前記、傾斜部が可撓性で、しなやかに屈曲自在であるので、階段の寸法が現場毎にさまざまで、階段踏板の段鼻正面から蹴込み板までの水平寸法が異なっても前記傾斜部を変形して、蹴込み板に当接させることができ、取り付け施工に支障がない。
【００３５】
また、踏板の厚みに関係なく取り付け可能であり、垂直部と段鼻正面を略面一になるように取り付けすると階段を正面から見て踏板の厚みが実際より厚く豪華に見え、意匠上のアクセントとしての効果も期待できる。
【００３６】
また、階段の段鼻調整部材の前記垂直部、上端水平部及び下端水平部がやや固めの可撓性を有する合成樹脂又はゴムからなり、前記傾斜部がそれよりもやや柔らかめの可撓性を有する合成樹脂又はゴムからなっていると、つま先が傾斜部にぶつかる衝撃力が過大であっても、傾斜部が適度に撓んで、しかも垂直部、上端水平部及び下端水平部がそれよりもやや固めであるので、つま先の衝撃力が十分に受け止められ、段鼻調整部材が過度に撓んだり変形することによる躓きがよりいっそう有効に防止できる。
【００３７】
また、階段の段鼻調整部材の前記上端水平部先端に略垂直方向に突出する突条と前記下端水平部先端に略水平方向に突出する突条とを形成すると、階段に取り付け施工する際、段鼻下面と蹴込み板に凹条溝を設け、前記凹条溝に突条を嵌合させることによって、極めて簡単に取り付け施工できる。また、傾斜部下端縁に取付部を設けると、蹴込み板との接点において、この取付部を利用して木ねじ等を用いて、簡単に蹴込み板への取り付け施工が可能となる。
【図面の簡単な説明】
【図１】本発明の階段の段鼻調整部材を段鼻下面に取り付けた実施の形態の一例を示す断面図。
【図２】本発明の階段の段鼻調整部材の一実施形態を示す断面図。
【図３】本発明の他の例となる階段の段鼻調整部材の断面図。
【図４】従来例の階段の段鼻部材を段鼻下面に取り付けた状態を示す断面図。
【符号の説明】
１  段鼻調整部材
２  踏板
３  蹴込み板
４  段鼻下面と蹴込み板によって形成された角部
５  垂直部
６  下端水平部
７  傾斜部
８  上端水平部
９ａ、９ｂ  突条
１０  取付部
１１  段鼻正面
１２  段鼻下面
１３ａ、１３ｂ  凹条溝
１４  木ネジ
ａ    段鼻正面と蹴込み板の間の水平距離
ｋ    取り付け用桟木
２１  段鼻部材
【図１】
0003891010.tif 000002
【図２】
0003891010.tif 000003
【図３】
0003891010.tif 000004
【図４】
0003891010.tif 000005